(57)【要約】【課題】上下縁を相互に重ねて組み合わせるオーバーラップタイプのタイルをＬ字状ではなく平坦な板形状に構成して建物の出隅部に定着可能とし、定着した状態においてタイルの側端面から掛止溝が外部に露出しないようにしたタイルの施工法及びタイルを提供せんとするものである。【解決手段】薄く形成した上縁を上方に位置するタイルの下縁に係入して組み合わせるようにしたオーバーラップタイプのタイルの一側端部を壁で閉塞して裏面に形成された掛止溝が端面から露出しないように形成されたオーバーラップタイプのタイルを、閉塞された端面を外部に露出させて建物の出隅部に配置し、このタイルの内側に他方のオーバーラップタイプのタイルを直角に突き合わせて配置しつつタイル取付ボードに定着するようにしたことを特徴とする。【選択図】　図４
2004068260.tif 000002
【特許請求の範囲】
【請求項１】
薄く形成した上縁を上方に位置するタイルの下縁に係入して組み合わせるようにしたオーバーラップタイプのタイルの一側端部を壁で閉塞して裏面に形成された掛止溝が端面から露出しないように形成されたオーバーラップタイプのタイルを、閉塞された端面を外部に露出させて建物の出隅部に配置し、このタイルの内側に他方のオーバーラップタイプのタイルを直角に突き合わせて配置しつつタイル取付ボードに定着するようにしたことを特徴とする建物のコーナー部におけるオーバーラップタイプのタイルの施工法。
【請求項２】
直角に突き合わされる両方のオーバーラップタイプのタイルが、一端部を閉塞されたタイルからなることを特徴とする請求項１記載の建物のコーナー部におけるオーバーラップタイプのタイルの施工法。
【請求項３】
直角に突き合わされる一方のオーバーラップタイプのタイルは、一端部を閉塞されたタイルであり、他方のオーバーラップタイプのタイルは端部の閉塞されていないタイルであり、端部を閉塞されたタイルの内側に他方のタイルを突き合わせるようにしたことを特徴とする請求項１記載の建物のコーナー部におけるオーバーラップタイプのタイルの施工法。
【請求項４】
上縁を薄く形成され、該薄い上縁が係入する下縁を有するオーバーラップタイプのタイルであって、一側端部を壁で閉塞して裏面に形成された掛止溝が端面から露出しないように形成されていることを特徴とするオーバーラップタイプのタイル。
【発明の詳細な説明】
【０００１】
【発明の属する分野】
この発明は、上下縁を相互に重ねて組み合わせるオーバーラップタイプのタイルを建物コーナー部、いわゆる出隅部に施工するタイルの施工法及びそのためのタイルに関する。
【０００２】
【従来の技術】
建物の外壁にタイルを定着して外観を良好にする施工法は公知であり、かかるタイルの施工法は大きく分けて建物の外壁にタイルをモルタルで直接定着する湿式工法と、建物の外壁にタイル取付ボードを定着してこのボードにタイルを掛止する乾式工法とが知られている。この発明は、乾式工法でタイルを施工する場合において、特に上下縁を相互に重ねて組み合わせるオーバーラップタイプのタイルを建物のコーナー部、いわゆる出隅部に施工する方法及びそのためのタイルを提供せんとするものである。乾式工法による一つの大きな利点は、タイルを型押若しくは押し出し成型法により大量生産出来ることにあり、タイル製造コストの低減が可能である。しかしながら、かかる乾式工法で上下縁を相互に重ねて組み合わせるオーバーラップタイプのタイルを建物のコーナー部、いわゆる出隅部に施工する場合、タイル取付ボードの突条に掛止するためにタイルの裏面に形成された掛止溝が、建物の出隅部においてタイルの側端面から外部に露出し、雨水等が侵入してくる問題を有している。建物の出隅部にタイルを定着する場合、直角Ｌ字状に折曲したタイルを形成し、このタイルを出隅部に合わせて定着している。しかしながら、このようなＬ字状に折曲したタイルの構造を、上下縁を相互に重ねるオーバーラップタイプのタイルに適用することは実際上不可能であった。
【０００３】
【発明が解決しようとする課題】
この発明は、上下縁を相互に重ねて組み合わせるオーバーラップタイプのタイルをＬ字状ではなく平坦な板形状に構成して建物の出隅部に定着可能とし、定着した状態においてタイルの側端面から掛止溝が外部に露出しないようにしたタイルの施工法及びタイルを提供せんとするものである。
【０００４】
【課題を解決するための手段】
上記課題を解決するためにこの発明が採った手段は、薄く形成した上縁を上方に位置するタイルの下縁に係入して組み合わせるようにしたオーバーラップタイプのタイルの一側端部を壁で閉塞して裏面に形成された掛止溝が端面から露出しないように形成されたオーバーラップタイプのタイルを、閉塞された端面を外部に露出させて建物の出隅部に配置し、このタイルの内側に他方のオーバーラップタイプのタイルを直角に突き合わせて配置しつつタイル取付ボードに定着するようにしたことを特徴とする。
【０００５】
直角に突き合わされる両方のオーバーラップタイプのタイルが、一端部を閉塞されたタイルからなることを特徴とする。
【０００６】
直角に突き合わされる一方のオーバーラップタイプのタイルは、一端部を閉塞されたタイルであり、他方のオーバーラップタイプのタイルは端部の閉塞されていないタイルであり、端部を閉塞されたタイルの内側に他方のタイルを突き合わせるようにしたことを特徴とする。
【０００７】
上縁を薄く形成され、該薄い上縁が係入する下縁を有するオーバーラップタイプのタイルであって、一側端部を壁で閉塞して裏面に形成された掛止溝が端面から露出しないように形成されていることを特徴とする。
【０００８】
【発明の実施の形態】
この発明の好ましい実施の形態を、以下に詳細に説明する。この発明は、上下縁を相互に重ねて組み合わせる形態のオーバーラップタイプのタイルを建物のコーナー部、すなわち出隅部に施工する施工方法及びそのためのタイルを提供せんとするものであり、タイルの一側端面を閉塞して、裏面に形成された掛止溝がオーバーラップタイプのタイルの側端面から外部に露出しないように形成し、建物の出隅部に閉塞された端面が外部に露出するように配置し、このタイルに他方のタイルを直角に突き合わせつつタイル取付ボードに定着するようにしたことを特徴とする。又、かかるタイルの施工に適した一端面を閉塞した構造を有するオーバーラップタイプのタイルを提供することを特徴とする。出隅部において突き合わされるオーバーラップタイプのタイルの少なくとも一方は、一側端面が閉塞されていなければならないが、突き合わせされる他方のタイルは端面が閉塞されていなくても良い。この発明にかかるタイルは、型押成型法により成型し焼成して製作することが出来るため、大量生産が可能である。
【０００９】
オーバーラップタイプのタイルは、上縁を薄く形成して上方に位置するタイルの下縁内側に係入し組み合わせるようにした構造のタイルであり、従来建物の出隅部に配置することは困難であった。特に、乾式タイル施工法にあっては、建物の外面に定着されたタイル取付ボードの掛止突条にタイルを裏面に形成された掛止溝を係入してタイルを保持する構造であり、掛止溝がタイルの側端面に露出しているため、建物の出隅部に配置した場合、露出した掛止溝から雨水が浸入してくる不都合がある。
【００１０】
【実施例】
図１〜７を参照して、オーバーラップタイプのタイル（１）は、上縁（１０）を薄く形成し、上部に位置するタイルの下縁（１１）の内側に係入して組み合わせるようにした構造のタイルであり、タイル取付ボード（２）の掛止突条（２０）に掛止する少なくとも一つの掛止溝（１２）が裏面に形成されており、該掛止溝（１２）はタイルの一端面において壁（１３）で閉止され、掛止溝（１２）がタイルの端面から外方に露出しないように形成されている。壁（１３）の上面は、図３，４に示すように突き合わされる他方のタイル（１ａ）の上縁（１０ａ）の形状に倣って、折曲した形状（１４）に形成される。掛止溝（１２）の他端は、タイルの他方の端面から外方に露出しており、タイル取付ボードの掛止突条（２０）への掛止を可能としている。図１〜３は建物の出隅部におけるオーバーラップタイプのタイルの施工状態を示し、（３）は建物の外壁であり、外壁（３）の外面に前記タイル取付ボード（２）が配置される。ボード（２）にはタイル（１）を掛止するための水平方向に延びる掛止突条（２０）が突設されている。施工に際しては、前記タイル（１）の掛止溝（１２）を掛止突条（２０）に係止しつつ、図３，４に示すように閉止された端面の内側に他方のタイル（１ａ）を突き合わせて直角に配置して、出隅部を被覆する。タイルの接合間隙や隅角部は、シーリング（４）で防水処理される。尚、図３、４に示すように、一方の端面を壁（１３）で閉塞したタイル（１）に対して直角に突き合わせる他方のタイル（１ａ）は、端面を閉塞していない通常のタイルとするが、壁（１３）で閉塞したタイルであっても良いことは勿論である。又、タイルの表面には、所望の模様、凹凸、色彩等を施すことが出来る。
【００１１】
【発明の効果】
この発明によれば、建物の出隅部において上下縁を互いに組み合わせるオーバーラップタイプのタイルの施工を、従来のＬ字型に折曲されたタイルではなく、平板状のタイルを以て施工することが出来るため、出隅部におけるオーバーラップタイプのタイルの施工を簡便に低コストで実現することが可能となる。又、出隅部に定着するオーバーラップタイプのタイルは、Ｌ字形状ではなく平板な形状で良いため、タイルの製造コストを低減することが出来る。
【図面の簡単な説明】
【図１】この発明のタイルを施工した建物の出隅部の斜視図
【図２】同施工状態を示す斜視図
【図３】同平面図
【図４】同タイルの突き合わせ状態を示す斜視図
【図５】同タイルの斜視図
【図６】同オーバーラップタイプのタイルの組み合わせ状態を示す斜視図
【図７】図６Ａ−Ａ’線に沿った断面図
【符号の説明】
（１）オーバーラップタイプのタイル
（１０）上縁
（１１）下縁
（１２）掛止溝
（１３）壁
（１４）折曲形状
（２）タイル取付ボード
（２０）掛止突条
（３）建物の外壁
（４）シーリング
（１ａ）他方のタイル
（１０ａ）他方のタイルの上縁
【図１】
2004068260.tif 000003
【図２】
2004068260.tif 000004
【図３】
2004068260.tif 000005
【図４】
2004068260.tif 000006
【図５】
2004068260.tif 000007
【図６】
2004068260.tif 000008
【図７】
2004068260.tif 000009